(57)【要約】      （修正有）【課題】電子機器と無線通信する外部の装置に、電子機器の電源状態を通知する。【解決手段】プロジェクターは、不揮発性メモリー１３３を備え、端末装置と無線通信するＮＦＣタグ１３０と、揮発性メモリー１７５と、電子機器の電源状態を示す情報を揮発性メモリー１７５に書き込む制御部１８０と、を備える。ＮＦＣタグ１３０は、端末装置による不揮発性メモリー１３３へのアクセスに応じて揮発性メモリー１７５に書き込まれた電子機器の電源状態を示す情報を送信し、揮発性メモリー１７５に書き込まれた電子機器の電源状態を示す情報が所定の状態である場合は、不揮発性メモリー１３３に書き込まれた情報を端末装置に送信する。【選択図】図３
2018055409.tif 000002
【特許請求の範囲】
【請求項１】
電子機器であって、
第１メモリーを備え、外部の装置と無線通信する通信部と、
揮発性の第２メモリーと、
前記電子機器の電源状態を示す情報を前記第２メモリーに書き込む制御部と、を備え、
前記通信部は、前記外部の装置による前記第１メモリーへのアクセスに応じて前記第２メモリーに書き込まれた前記電子機器の電源状態を示す前記情報を送信し、前記第２メモリーに書き込まれた前記電子機器の電源状態を示す前記情報が所定の状態である場合は、前記第１メモリーに書き込まれた前記情報を前記外部の装置に送信する電子機器。
【請求項２】
前記電子機器の電源状態は、少なくともオン状態及びオフ状態を含み、
前記制御部は、前記電子機器の電源状態が前記オフ状態から前記オン状態に切り替わった場合に、前記電子機器の電源状態が前記オン状態であることを示す前記情報を前記第２メモリーに書き込む請求項１記載の電子機器。
【請求項３】
前記通信部は、前記第２メモリーに、前記電子機器の電源状態を示す前記情報が書き込まれていない場合、前記第１メモリーに書き込まれた前記電子機器の電源状態が前記オフ状態であることを示す前記情報を前記外部の装置に送信する請求項２記載の電子機器。
【請求項４】
前記電子機器の電源状態が前記オフ状態である場合に、前記第２メモリーに書き込まれた前記情報が消失する請求項２又は３記載の電子機器。
【請求項５】
前記通信部は、アンテナと、前記アンテナに生じた誘導起電力によって動作する通信制御部と、前記第１メモリーとを備える無線タグであり、
前記通信制御部は、前記外部の装置との無線通信によって前記アンテナに誘導起電力が生じた場合に、前記第２メモリーに書き込まれた前記電子機器の電源状態を示す前記情報又は前記第１メモリーに書き込まれた前記情報を前記外部の装置に送信する請求項２から４のいずれか１項に記載の電子機器。
【請求項６】
前記電子機器の電源状態は、前記オン状態、前記オフ状態、及び、前記制御部の動作により前記オン状態に移行可能なスタンバイ状態を含み、
前記制御部は、前記スタンバイ状態において前記通信制御部が前記アンテナに生じた誘導起電力によって動作した場合に、前記電子機器の電源状態を前記オン状態に移行させる請求項５記載の電子機器。
【請求項７】
前記電子機器は、表示面に画像を表示する表示装置であることを特徴とする請求項１から６のいずれか１項に記載の電子機器。
【請求項８】
電子機器と、端末装置とを備える通信システムであって、
電子機器は、
第１メモリーを備え、前記端末装置と無線通信する第１通信部と、
揮発性の第２メモリーと、
前記電子機器の電源状態を示す情報を前記第２メモリーに書き込む制御部と、を備え、
前記第１通信部は、前記端末装置による前記第１メモリーへのアクセスに応じて前記第２メモリーに書き込まれた前記電子機器の電源状態を示す前記情報を送信し、前記第２メモリーに書き込まれた前記電子機器の電源状態を示す前記情報が所定の状態である場合は、前記第１メモリーに書き込まれた情報を前記端末装置に送信し、
前記端末装置は、
前記電子機器と無線通信する第２通信部と、
表示部と、を備え、
前記電子機器から受信した前記電子機器の電源状態を示す前記情報を前記表示部に表示させる通信システム。
【請求項９】
第１メモリーを備え、外部の装置と無線通信する通信部と、揮発性の第２メモリーと、を備える電子機器の制御方法であって、
前記電子機器の電源状態を示す情報を前記第２メモリーに書き込むステップと、
前記外部の装置による前記第１メモリーへのアクセスに応じて前記第２メモリーに書き込まれた前記電子機器の電源状態を示す前記情報を前記外部の装置に送信するステップと、
前記第２メモリーに書き込まれた前記電子機器の電源状態を示す前記情報が所定の状態である場合は、前記第１メモリーに書き込まれた情報を前記外部の装置に送信するステップと、
を有することを特徴とする電子機器の制御方法。
【発明の詳細な説明】
【技術分野】
【０００１】
本発明は、電子機器、通信システム、及び電子機器の制御方法に関する。
【背景技術】
【０００２】
従来、外部の装置を用いて、電子機器を操作する方法が知られている（例えば、特許文献１参照）。特許文献１は、外部装置により遠隔操作される撮像装置を開示する。
【先行技術文献】
【特許文献】
【０００３】
【特許文献１】特許第５５２７４９２号公報
【発明の概要】
【発明が解決しようとする課題】
【０００４】
ところで、電子機器を外部の装置により操作する場合に、電子機器の電源状態を外部の装置に送信して、外部の装置での操作に役立てたいというニーズがある。しかしながら、電子機器の状態によっては、電子機器の正確な電源状態を外部の装置に通知できない場合がある。
本発明は、上述した事情に鑑みてなされたものであり、電子機器と無線通信する外部の装置に、電子機器の電源状態を通知することを目的とする。
【課題を解決するための手段】
【０００５】
上記課題を解決するため、本発明は、電子機器であって、第１メモリーを備え、外部の装置と無線通信する通信部と、揮発性の第２メモリーと、前記電子機器の電源状態を示す情報を前記第２メモリーに書き込む制御部と、を備え、前記通信部は、前記外部の装置による前記第１メモリーへのアクセスに応じて前記第２メモリーに書き込まれた前記電子機器の電源状態を示す前記情報を送信し、前記第２メモリーに書き込まれた前記電子機器の電源状態を示す前記情報が所定の状態である場合は、前記第１メモリーに書き込まれた前記情報を前記外部の装置に送信する。
本発明によれば、外部の装置による第１メモリーへのアクセスに応じて第２メモリーに書き込まれた電子機器の電源状態を示す情報が外部の装置に送信される。また、第２メモリーに書き込まれた電子機器の電源状態を示す情報が所定の状態である場合は、第１メモリーに書き込まれた情報が外部の装置に送信される。従って、第２メモリーに書き込まれた情報の状態によらず、電子機器の電源状態を外部の装置に通知することができる。
【０００６】
また、本発明は、前記電子機器の電源状態は、少なくともオン状態及びオフ状態を含み、前記制御部は、前記電子機器の電源状態が前記オフ状態から前記オン状態に切り替わった場合に、前記電子機器の電源状態が前記オン状態であることを示す前記情報を前記第２メモリーに書き込む。
本発明によれば、電子機器の電源状態がオフ状態からオン状態に切り替わった場合に、電子機器の電源状態がオン状態であることを示す情報が第２メモリーに書き込まれる。従って、電子機器の電源状態がオン状態に切り替わった状態で、外部の装置からのアクセスがあった場合には、第２メモリーの情報を送信することで、電子機器の電源状態を示す情報を外部の装置に送信することができる。
【０００７】
また、本発明は、前記通信部は、前記第２メモリーに、前記電子機器の電源状態を示す前記情報が書き込まれていない場合、前記第１メモリーに書き込まれた前記電子機器の電源状態が前記オフ状態であることを示す前記情報を前記外部の装置に送信する。
本発明によれば、第２メモリーに情報が書き込まれていない場合に、第１メモリーに予め書き込まれた電子機器の電源状態がオフ状態であることを示す情報が外部の装置に送信されるので、電子機器の電源状態を示す情報を外部の装置に送信することができる。
【０００８】
また、本発明は、前記電子機器の電源状態が前記オフ状態である場合に、前記第２メモリーに書き込まれた前記情報が消失する。
本発明によれば、電子機器の電源状態がオフ状態である場合、第２メモリーに書き込まれた情報が消失した状態となる。この場合に、第１メモリーに予め書き込まれた電子機器の電源状態がオフ状態であることを示す情報を外部の装置に送信することで、電子機器の電源状態を示す情報を外部の装置に送信することができる。
【０００９】
また、本発明は、前記通信部は、アンテナと、前記アンテナに生じた誘導起電力によって動作する通信制御部と、前記第１メモリーとを備える無線タグであり、前記通信制御部は、前記外部の装置との無線通信によって前記アンテナに誘導起電力が生じた場合に、前記第２メモリーに書き込まれた前記電子機器の電源状態を示す前記情報又は前記第１メモリーに書き込まれた前記情報を前記外部の装置に送信する。
本発明によれば、通信部をアンテナに生じた誘導起電力によって動作する無線タグによって構成することができる。従って、電子機器の電源がオフ状態であっても、通信部が、電子機器の電源状態を示す情報を外部の装置に送信することができる。
【００１０】
また、本発明は、前記電子機器の電源状態は、前記オン状態、前記オフ状態、及び、前記制御部の動作により前記オン状態に移行可能なスタンバイ状態を含み、前記制御部は、前記スタンバイ状態において前記通信制御部が前記アンテナに生じた誘導起電力によって動作した場合に、前記電子機器の電源状態を前記オン状態に移行させる。
本発明によれば、通信制御部がアンテナに生じた誘導起電力によって動作した場合に、電子機器の電源状態をオン状態に移行させることができる。
【００１１】
また、本発明は、前記電子機器は、表示面に画像を表示する表示装置であることを特徴とする。
本発明によれば、表示装置の電源状態を外部の装置に通知することができる。
【００１２】
上記課題を解決するため、本発明は、電子機器と、端末装置とを備える通信システムであって、電子機器は、第１メモリーを備え、前記端末装置と無線通信する第１通信部と、揮発性の第２メモリーと、前記電子機器の電源状態を示す情報を前記第２メモリーに書き込む制御部と、を備え、前記第１通信部は、前記端末装置による前記第１メモリーへのアクセスに応じて前記第２メモリーに書き込まれた前記電子機器の電源状態を示す前記情報を送信し、前記第２メモリーに書き込まれた前記電子機器の電源状態を示す前記情報が所定の状態である場合は、前記第１メモリーに書き込まれた情報を前記端末装置に送信し、前記端末装置は、前記電子機器と無線通信する通信部と、表示部と、を備え、前記電子機器から受信した前記電子機器の電源状態を示す前記情報を前記表示部に表示させる。
本発明によれば、外部の装置による第１メモリーへのアクセスに応じて第２メモリーに書き込まれた電子機器の電源状態を示す情報が外部の装置に送信される。また、第２メモリーに書き込まれた電子機器の電源状態を示す情報が所定の状態である場合は、第１メモリーに書き込まれた情報が外部の装置に送信される。従って、第２メモリーに書き込まれた情報の状態によらず、電子機器の電源状態を外部の装置に通知することができる。
【００１３】
上記課題を解決するため、本発明は、第１メモリーを備え、外部の装置と無線通信する通信部と、揮発性の第２メモリーと、を備える電子機器の制御方法であって、前記電子機器の電源状態を示す情報を前記第２メモリーに書き込むステップと、前記外部の装置による前記第１メモリーへのアクセスに応じて前記第２メモリーに書き込まれた前記電子機器の電源状態を示す前記情報を前記外部の装置に送信するステップと、前記第２メモリーに書き込まれた前記電子機器の電源状態を示す前記情報が所定の状態である場合は、前記第１メモリーに書き込まれた情報を前記外部の装置に送信するステップと、を有することを特徴とする。
本発明によれば、外部の装置による第１メモリーへのアクセスに応じて第２メモリーに書き込まれた電子機器の電源状態を示す情報が外部の装置に送信される。また、第２メモリーに書き込まれた電子機器の電源状態を示す情報が所定の状態である場合は、第１メモリーに書き込まれた情報が外部の装置に送信される。従って、第２メモリーに書き込まれた情報の状態によらず、電子機器の電源状態を外部の装置に通知することができる。
【図面の簡単な説明】
【００１４】
【図１】通信システムの概略構成を示す図。
【図２】端末装置の構成を示すブロック図。
【図３】プロジェクターの構成を示すブロック図。
【図４】プロジェクターの動作を示すフローチャート。
【図５】ＮＦＣタグの動作を示すフローチャート。
【図６】端末装置の動作を示すフローチャート。
【発明を実施するための形態】
【００１５】
以下、添付図面を参照して本発明の実施形態について説明する。
図１に、本実施形態の通信システム１の概略構成を示す。本実施形態の通信システム１は、入力装置としての端末装置１０と、表示装置としてのプロジェクター１００とを備える。端末装置１０は、本発明の「外部の装置」に相当する。プロジェクター１００は、本発明の「電子機器」及び「表示装置」に相当する。
【００１６】
端末装置１０は、ユーザーが手に持って操作する小型の装置であり、例えば、スマートフォン等の携帯電話、タブレット端末、ＰＤＡ（Personal Digital Assistants）等の携帯型の装置である。端末装置１０は、平板状の端末装置本体１１を有する。端末装置本体１１の表面には表示パネル５２が配置され、表示パネル５２の表面にはユーザーの接触操作を検出するタッチスクリーン５３（図２）が配置される。表示パネル５２は、図１に示すように、端末装置本体１１の最も広い面の一方において、ほぼ全面を覆うように配置される。また、本実施形態の表示パネル５２は細長い矩形であり、ユーザーが長辺と短辺とを明らかに区別できる。また、端末装置１０は、タッチスクリーン５３（図２参照）の他の入力デバイスとして各種スイッチを備えてもよい。
【００１７】
プロジェクター１００は、投射対象に画像光を投射して、投射対象の面に画像を形成する。プロジェクター１００が画像を投射する投射対象は、平面であっても曲面や凹凸面であってもよいが、本実施形態では、平面で構成されるスクリーンＳＣ（表示面）に投射する例を示す。スクリーンＳＣは壁面等の固定された平面を利用してもよいし、吊り下げ式や立ち上げ式の幕状のスクリーンであってもよい。図１はプロジェクター１００の設置状態を示す。プロジェクター１００は、箱形のプロジェクター本体１０１を有し、プロジェクター本体１０１の一つの面には画像光を投射する投射開口部１１４が設けられる。投射開口部１１４は、プロジェクター本体１０１に内蔵される投射光学系１１３（図３）が光を放射する開口部である。また、プロジェクター本体１０１の上面には、操作パネル１５１が配置される。操作パネル１５１は、ユーザーがプロジェクター１００を操作するためのスイッチ及びプロジェクター１００の動作状態を示すインジケーターランプを備える。例えば、操作パネル１５１は、プロジェクター１００の動作状態を、通常動作状態又はスタンバイ状態（省電力状態）に切り替える電源ボタンを備える。通常動作状態及びスタンバイ状態については後述する。
【００１８】
プロジェクター１００は、赤外線信号を送信するリモコン７０により操作できる。リモコン７０は、通信システム１を構成する装置としてもよいし、通信システム１に含めなくてもよい。リモコン７０はプロジェクター１００を操作する各種スイッチを備え、スイッチの操作に対応する信号を、プロジェクター１００に赤外線信号として送信する。
【００１９】
また、プロジェクター１００は、ＮＦＣ（Near Field Communication）タグ１３０を有する。ＮＦＣタグ１３０は、ＲＦＩＤ（Radio Frequency Identifier）タグ、或いは無線タグと呼ばれる情報記憶媒体である。ＮＦＣタグ１３０は、内蔵する不揮発性メモリー１３３（図３参照）に各種情報を記憶し、ＮＦＣタグ１３０が記憶する情報を外部から読み取り可能である。本実施形態のＮＦＣタグ１３０は、ＮＦＣタグ１３０を読み取る装置から電源供給を受けるパッシブタグを用いる。ＮＦＣタグ１３０は、本発明の「通信部」、「無線タグ」及び「第１通信部」に相当する。また、不揮発性メモリー１３３は、本発明の「第１メモリー」に相当する。
【００２０】
また、ＮＦＣタグ１３０は、ＩＳＯ規格として策定されたＮＦＣの規格に準拠するタグであるが、Ｆｅｌｉｃａ（登録商標）等、他の種類のＲＦＩＤタグを用いてもよい。ＲＦＩＤタグには、１２５ｋＨｚ帯の無線信号を用いるタグ、１３．５６ＭＨｚ帯の無線信号を用いるタグ、ＵＨＦ帯（９５０ＭＨｚ帯）の無線信号を用いるタグ、２．４５ＧＨｚ帯の無線信号を用いるタグ等がある。本実施形態では、これらのいずれであってもＮＦＣタグ１３０として利用できる。
【００２１】
ＮＦＣタグ１３０は、プロジェクター本体１０１の内部において、プロジェクター本体１０１の上面外装の裏側、又は上面の近傍に設置される。従って、ＮＦＣの読み取り機能を有する機器が、プロジェクター本体１０１の上面に接近すると、当該機器はＮＦＣタグ１３０を読み取ることが可能である。プロジェクター本体１０１の上面には、ＮＦＣタグ１３０に近接する位置を示すマーカー１５９が描かれており、ＮＦＣタグ１３０を読み取る際の目安となる。
【００２２】
本実施形態では、スクリーンＳＣは矩形形状であり、プロジェクター１００はスクリーンＳＣの正面（前面）側に配置される。プロジェクター１００は、矩形の画像（静止画像及び動画像を含む）の画像光を投射し、スクリーンＳＣには矩形の投射画像が形成される。図１の設置状態では、プロジェクター１００が、スクリーンＳＣの斜め下方から上向きに画像光を投射するので、スクリーンＳＣに形成される投射画像は矩形ではなく、台形歪みを生じている。
【００２３】
端末装置１０とプロジェクター１００とは、無線通信方式によって各種データを送受信可能に接続される。この無線通信方式は、例えば、ＩＥＥＥ８０２．１１規格に準拠する無線ＬＡＮ（Local Area Network）、Ｂｌｕｅｔｏｏｔｈ（登録商標）、ＵＷＢ（Ultra Wide Band）等の近距離無線通信方式である。また、携帯電話回線を利用した無線通信方式を採用してもよい。
本実施形態では端末装置１０とプロジェクター１００とが無線ＬＡＮにより接続され、制御データや後述するコンテンツデータを無線により送受信する構成を例示する。プロジェクター１００が通信する端末装置１０は１台に限定されず、図１には一例として１つのプロジェクター１００と１つの端末装置１０とを備えた通信システム１を示す。
【００２４】
端末装置１０とプロジェクター１００とは、無線通信を確立する際に、ＭＡＣ（Media Access Control）アドレス、ＳＳＩＤ（Service Set IDentifier）、アクセスポイント名、パスフレーズ（パスワード）等の情報を使用して互いを識別し、接続する。ここでは、これらの情報を無線通信設定情報と呼ぶ。
【００２５】
通信システム１では、プロジェクター１００の無線通信設定情報を、ＮＦＣタグ１３０に記憶する。従って、端末装置１０がＮＦＣタグ１３０を読み取ることにより、プロジェクター１００に無線接続するための無線通信設定情報を得ることができる。この無線通信設定情報を用いて、端末装置１０とプロジェクター１００とが無線通信を確立すれば、その後、端末装置１０はプロジェクター１００に無線信号を送信することで、プロジェクター１００を、あたかもリモコン７０を使用しているかのように操作できる。
【００２６】
図２は、端末装置１０の構成を示すブロック図である。
端末装置１０は、端末装置１０の各部を制御する制御部２０（端末制御部）を備える。制御部２０は、図示しないＣＰＵ（Central Processing Unit）、ＲＯＭ（Read Only Memory）、ＤＲＡＭ（Dynamic Random Access Memory）等を備え、ＲＯＭに記憶した基本制御プログラムをＤＲＡＭに読み込み、ＣＰＵにより実行して、端末装置１０を制御する。また、制御部２０は、記憶部３０に記憶されたプログラムを実行することにより、後述する表示制御部２１、通信制御部２２、アプリケーション実行部２３として機能する（以下、これらを機能ブロックと呼ぶ）。
【００２７】
端末装置１０は、記憶部３０を備える。記憶部３０は、フラッシュメモリー、ＥＥＰＲＯＭ（Electronically Erasable and Programmable Read Only Memory）等の不揮発性の記憶装置であり、制御部２０に接続される。記憶部３０は、制御部２０が実行する各種プログラムやデータを記憶する。また、記憶部３０は、アプリケーションプログラム３１及びコンテンツデータ３３を記憶する。
【００２８】
端末装置１０は、無線通信部４０を備える。無線通信部４０は、アンテナやＲＦ（Radio Frequency）回路（不図示）等を備え、制御部２０に接続される。無線通信部４０は、制御部２０によって制御され、プロジェクター１００との間で上述した無線通信方式に準じて各種データを送受信する。
【００２９】
端末装置１０は、表示部５１を備える。表示部５１は、表示パネル５２を備え、制御部２０に接続する。表示部５１は、制御部２０から入力した画像データに基づいて、不図示のＤＲＡＭに確保した描画領域に表示パネル５２の表示解像度に合わせたフレーム画像を描画することにより表示パネル５２に画像を表示させる。
【００３０】
端末装置１０は、タッチスクリーン５３と、スイッチ部５４と、操作検出部５５とを備える。タッチスクリーン５３は、表示パネル５２への接触操作を検出して、検出した操作位置を示す位置信号を操作検出部５５に出力する。操作検出部５５は、タッチスクリーン５３から入力される位置信号に基づいて、タッチスクリーン５３上の座標を示す座標情報を生成し、制御部２０に出力する。
スイッチ部５４は、タッチスクリーン５３とは別に設けられたスイッチ等の各操作子を備え、これらのスイッチが操作された場合に操作信号を操作検出部５５に出力する。操作検出部５５は、スイッチ部５４から入力された操作信号に基づいて、操作された操作子に対応する操作情報を生成して制御部２０に出力する。
制御部２０は、操作検出部５５から入力した座標情報又は操作情報に基づいて、表示パネル５２に対する接触操作、スイッチを含む各操作子の操作、及び端末装置１０の本体を動かす操作を検出できる。
【００３１】
端末装置１０は、ＮＦＣタグ通信部６１を備える。ＮＦＣタグ通信部６１は、本発明の「第２通信部」に相当する。ＮＦＣタグ通信部６１は、ＮＦＣ規格に準拠したＮＦＣタグ１３０の読み取りを行い、ＮＦＣタグ１３０から読み取ったデータを制御部２０に出力するタグリーダーである。ＮＦＣタグ通信部６１は、少なくともパッシブタグの読み取りが可能である。端末装置１０が動作中でＮＦＣタグ通信部６１の読み取り動作が有効な状態において、ＮＦＣタグ１３０は、所定時間毎に読み取り用の無線信号を送出する。この無線信号によりＮＦＣタグ１３０に誘導起電力を発生させて、ＮＦＣタグ１３０を動作させる。また、ＮＦＣタグ通信部６１はＮＦＣタグ１３０の無線信号を受信してデコードし、制御部２０に受信データを出力する。また、ＮＦＣタグ通信部６１は、ＮＦＣタグ１３０に対するデータの読み取りに加え、ＮＦＣタグ１３０に対する書き込みが可能なリーダー／ライター装置であってもよい。
【００３２】
制御部２０は、記憶部３０に記憶される基本制御プログラムを実行して、端末装置１０の各部の基本的な制御を行う。この制御は端末装置１０のオペレーティングシステムに相当し、表示制御部２１、通信制御部２２、及びアプリケーション実行部２３は、オペレーティングシステム上で動作するアプリケーションプログラム３１に対し、基本サービスを提供する。
表示制御部２１は、表示部５１を制御して、表示パネル５２に各種画面を表示させる。表示制御部２１は、記憶部３０に記憶するコンテンツデータ３３を読み出して、表示部５１に出力する。表示部５１は、入力したコンテンツデータ３３に基づいて、不図示のＤＲＡＭに確保した描画領域に表示パネル５２の表示解像度に合わせた画像を描画し、描画した画像に基づき表示パネル５２を駆動する。
【００３３】
通信制御部２２は、無線通信部４０を制御してプロジェクター１００と無線通信を行う。通信制御部２２は、所定の周波数の無線信号の送受信を実行し、送信するデータのエンコード、及び受信するデータのデコードを行う。
【００３４】
アプリケーション実行部２３は、記憶部３０が記憶するアプリケーションプログラム３１を実行する。
記憶部３０は、複数のアプリケーションプログラム３１を記憶することができる。アプリケーション実行部２３は、タッチスクリーン５３の操作、スイッチ部５４の操作、或いは、ＮＦＣタグ通信部６１がＮＦＣタグから読み取るデータに対応するアプリケーションプログラム３１を選択して実行する。
【００３５】
コンテンツデータ３３は、動画像（映像）データ又は静止画像データを含み、プロジェクター１００で再生可能なコンテンツのデータである。コンテンツデータ３３は、複数の動画像又は静止画像データを含んでもよいし、音声データを含んでもよい。アプリケーション実行部２３が実行するアプリケーションプログラム３１の機能によりコンテンツデータ３３を送信する場合、記憶部３０からコンテンツデータ３３が読み出される。アプリケーション実行部２３は、読み出したコンテンツデータ３３を再生し、再生したコンテンツデータ３３に含まれる画像データを無線通信部４０により送信する。
【００３６】
図３は、プロジェクター１００の構成を示すブロック図である。
プロジェクター１００は、インターフェイス部（以下、Ｉ／Ｆ部と略記する）１６０を備える。プロジェクター１００は、Ｉ／Ｆ部１６０を介して画像供給装置に接続される。Ｉ／Ｆ部１６０には、例えば、デジタル映像信号が入力されるＤＶＩインターフェイス、ＵＳＢインターフェイス、ＬＡＮインターフェイス等を用いることができる。また、Ｉ／Ｆ部１６０には、例えば、ＮＴＳＣ、ＰＡＬ、ＳＥＣＡＭ等のコンポジット映像信号が入力されるＳ映像端子、コンポジット映像信号が入力されるＲＣＡ端子、コンポーネント映像信号が入力されるＤ端子等を用いることができる。さらに、Ｉ／Ｆ部１６０には、ＨＤＭＩ（登録商標）規格に準拠したＨＤＭＩコネクター等の汎用インターフェイスを用いることができる。また、Ｉ／Ｆ部１６０は、アナログ映像信号をデジタル画像データに変換するＡ／Ｄ変換回路を有し、ＶＧＡ端子等のアナログ映像端子により画像供給装置に接続される構成としてもよい。なお、Ｉ／Ｆ部１６０は、有線通信によって画像信号の送受信を行ってもよく、無線通信によって画像信号の送受信を行ってもよい。
【００３７】
プロジェクター１００は、大きく分けて光学的な画像の形成を行う投射部１１０（表示部）と、この投射部１１０に入力される画像信号を電気的に処理する画像処理系とを備える。投射部１１０は、光源部１１１、液晶パネル１１２Ａを備える光変調装置１１２及び投射光学系１１３を備える。
【００３８】
光源部１１１は、キセノンランプ、超高圧水銀ランプ、ＬＥＤ（Light Emitting Diode）、レーザー等の光源を備える。また、光源部１１１は、光源が発した光を光変調装置１１２に導くリフレクター及び補助リフレクターを備えていてもよい。また、光源部１１１は、投射光の光学特性を高めるためのレンズ群（図示略）、偏光板、又は光源が発した光の光量を光変調装置１１２に至る経路上で低減させる調光素子等があってもよい。
【００３９】
光変調装置１１２は、例えば、透過型の液晶パネル１１２Ａを備え、この液晶パネル１１２Ａは後述する画像処理系からの信号を受けて画像を形成する。この場合、光変調装置１１２は、カラーの投影を行うため、ＲＧＢの三原色に対応した３枚の液晶パネル１１２Ａを備え、光源部１１１からの光はＲＧＢの３色の色光に分離され、各色光は対応する各液晶パネル１１２Ａに入射する。各液晶パネル１１２Ａを通過して変調された色光はクロスダイクロイックプリズム等の合成光学系によって合成され、投射光学系１１３に射出される。
【００４０】
なお、光変調装置１１２は、透過型の液晶パネル１１２Ａを３枚用いた構成に限らず、例えば３枚の反射型の液晶パネルを用いることも可能である。また、光変調装置１１２は、１枚の液晶パネルとカラーホイールを組み合わせた方式、３枚のＤＭＤ（Digital Mirror Device）を用いた方式、１枚のＤＭＤとカラーホイールを組み合わせた方式等により構成してもよい。ここで、光変調装置１１２として１枚のみの液晶パネル１１２Ａ又はＤＭＤを用いる場合には、クロスダイクロイックプリズム等の合成光学系に相当する部材は不要である。また、液晶パネル１１２Ａ及びＤＭＤ以外にも、光源が発した光を変調可能な構成であれば問題なく採用できる。
【００４１】
投射光学系１１３は、光変調装置１１２で変調された入射光を、投射レンズを用いて投射開口部１１４（図１）から外に向けて放射し、スクリーンＳＣ上に投射画像を結像させる。
【００４２】
投射部１１０には、制御部１８０の制御に従って投射光学系１１３が備える各モーターを駆動する投射光学系駆動部１２３、及び制御部１８０の制御に従って光源部１１１が備える光源を駆動する光源駆動部１２１が接続される。投射光学系駆動部１２３及び光源駆動部１２１は、バス１９０に接続される。
【００４３】
プロジェクター１００のＮＦＣタグ１３０は、バス１９０に接続される。ＮＦＣタグ１３０は、アンテナ１３１、ＮＦＣ制御部１３２、不揮発性メモリー１３３を備える。ＮＦＣタグ１３０は、ＮＦＣ制御部１３２が搭載されたプロセッサーコアとメモリーが１チップで構成される。ＮＦＣ制御部１３２は、本発明の「通信制御部」に相当する。
端末装置１０から送信される無線信号を受信したアンテナ１３１には誘導起電力が生じる。ＮＦＣ制御部１３２は、この誘導起電力を電源として動作する。ＮＦＣ制御部１３２は、端末装置１０が発する読み取り用の無線信号により電源が供給された場合に、制御部１８０に対し割り込みを行い、プロジェクター１００の動作状態を、スタンバイ状態から電源オン状態である通常動作状態に復帰させる。
【００４４】
不揮発性メモリー１３３は、例えば、ＲＯＭ（Read only memory）、ＥＥＰＲＯＭ（Electrically Erasable Programmable Read-Only Memory）、フラッシュメモリー等の不揮発性のメモリーから構成される。不揮発性メモリー１３３は、無線通信設定情報を記憶する。無線通信設定情報は、ＮＦＣタグ１３０が有する無線通信設定情報の少なくとも一部を含み、ＮＦＣタグ１３０の無線通信設定情報の全体を含んでもよい。
また、不揮発性メモリー１３３は、プロジェクター１００の電源状態を示す情報（以下、電源情報という）を予め設定されたアドレスに記憶する。不揮発性メモリー１３３に記憶される電源情報は、プロジェクター１００が電源オフ状態であることを示す情報である。本実施形態では、不揮発性メモリー１３３の予め設定されたアドレスには、後述する揮発性メモリー１７５の電源ビットが「０」であることを示す電源情報が記憶される。ＮＦＣ制御部１３２は、プロジェクター１００の電力供給が絶たれ、揮発性メモリー１７５から情報を読み出せない場合、不揮発性メモリー１３３の予め設定されたアドレスから電源情報を読み出す。
プロジェクター１００の電源情報は、後述する揮発性メモリー１７５にも記憶される。
【００４５】
ＮＦＣ制御部１３２は、端末装置１０による不揮発性メモリー１３３へのアクセスに応じて、不揮発性メモリー１３３に記憶された無線通信設定情報等の情報を読み出し、端末装置１０に送信する。
また、ＮＦＣ制御部１３２は、不揮発性メモリー１３３の予め設定されたアドレスから情報を読み出す場合、この設定されたアドレスに対応付けられた揮発性メモリー１７５の所定のアドレスから情報を読み出す。揮発性メモリー１７５の所定のアドレスには、プロジェクター１００の電源情報が記憶されている。揮発性メモリー１７５の所定のアドレスの記憶素子を、以下では電源ビットという。
ＮＦＣ制御部１３２は、揮発性メモリー１７５の電源ビットに電源情報が記憶されている場合、この電源ビットに記憶された電源情報を読み出し、端末装置１０に送信する。また、ＮＦＣ制御部１３２は、揮発性メモリー１７５の電源ビットが所定の状態である場合、不揮発性メモリー１３３に記憶された電源情報を読み出して、端末装置１０に送信する。
本実施形態において所定の状態とは、電源ビットの記憶する値が消失している状態をいう。これ以外に、電源情報の読み出しに失敗した場合等にも、ＮＦＣ制御部１３２は、不揮発性メモリー１３３から電源情報を読み出し、端末装置１０に送信するようにしてもよい。
【００４６】
プロジェクター１００は、無線通信部１４１を備える。無線通信部１４１は、バス１９０に接続される。無線通信部１４１は、図示しないアンテナやＲＦ回路等を備え、制御部１８０の制御の下、端末装置１０との間で無線通信規格に準拠して通信する。プロジェクター１００と端末装置１０とは、無線通信方式によって各種データを送受信可能に接続される。
【００４７】
プロジェクター１００は、電源部１４３及び電源制御部１４５を備える。
電源部１４３は、電源制御部１４５の制御に従って、商用電源からプロジェクター１００の各部が動作するのに必要な直流電力を作り出し、プロジェクター１００の各部に供給する。電源制御部１４５は、制御部１８０の制御に従って、電源部１４３が生成する直流電力の出力先を制御し、プロジェクター１００の電力状態を制御する。
【００４８】
プロジェクター１００の電源状態には、電源オン状態である通常動作状態と、スタンバイ状態と、電源オフ状態とが含まれる。
通常動作状態では、プロジェクター１００が備える構成部を、少なくとも、投射部１１０の投射が可能な状態とする。すなわち、投射部１１０の各部、及び後述する画像処理系を構成する各部に電源が供給される。通常動作状態には、投射部１１０が投射する画像がない状態で、光源部１１１の光源を消灯し、或いは輝度を低下させた状態を含む。
【００４９】
スタンバイ状態は、少なくとも、制御部１８０、入力処理部１５３、及びリモコン受光部１５５が動作し、電源ボタンの操作及びリモコン７０からの赤外線信号を検出可能な状態である。投射部１１０の各部、及び、投射光学系駆動部１２３、光源駆動部１２１、光変調装置駆動部１２２、画像処理部１６３、フレームメモリー１６５に対する電源供給をオフ、または、低電力状態とすることができる。また、揮発性メモリー１７５や、記憶部１７０及び無線通信部１４１への電源供給を、オフ、または低電力状態とすることができる。本実施形態では、スタンバイ状態で無線通信部１４１への電源供給はオフにされる。従って、スタンバイ状態におけるプロジェクター１００の消費電力量は、通常動作状態に比べて低い。スタンバイ状態は、プロジェクター１００の備える電源プラグが商用電源のコンセントから取り外されておらず、電源ボタンがオフされた状態である。
また、電源オフ状態は、プロジェクター１００の備える電源プラグが商用電源のコンセントから取り外され、電源部１４３によるプロジェクター１００の各部への電源供給がオフされた状態である。
【００５０】
プロジェクター１００は、プロジェクター本体１０１（図１）の上面に、操作パネル１５１が配置される。操作パネル１５１は、入力処理部１５３に接続される。入力処理部１５３は、制御部１８０の制御に従い、プロジェクター１００の動作状態や設定状態に応じて操作パネル１５１のインジケーターランプを適宜点灯或いは点滅させる。操作パネル１５１のスイッチが操作されると、操作されたスイッチに対応する操作信号が入力処理部１５３から制御部１８０に出力される。
【００５１】
プロジェクター１００は、ユーザーが使用するリモコン７０から信号を受信するリモコン受光部１５５を有する。リモコン受光部１５５は、例えば図２に示すように、プロジェクター本体１０１の前面に設置され、リモコン７０が発する赤外線信号を受光する。リモコン受光部１５５は、リモコン７０から受光した赤外線信号をデコードして、リモコン７０における操作内容を示す操作信号を生成し、制御部１８０に出力する。
【００５２】
プロジェクター１００が備える画像処理系は、プロジェクター１００全体を統合的に制御する制御部１８０を中心に構成され、その他に、記憶部１７０、揮発性メモリー１７５、画像処理部１６３、光変調装置駆動部１２２、入力処理部１５３を備える。制御部１８０、記憶部１７０、揮発性メモリー１７５、画像処理部１６３、光変調装置駆動部１２２、入力処理部１５３は、それぞれバス１９０に接続される。
【００５３】
制御部１８０は、図示しないＣＰＵ、ＲＯＭ、ＲＡＭおよびＤＲＡＭ等を備え、ＲＯＭに記憶した基本制御プログラムをＲＡＭ又はＤＲＡＭに読み出し、ＣＰＵにより実行して、プロジェクター１００を制御する。また、制御部１８０は、記憶部１７０に記憶された制御プログラムを実行することにより、後述する投射制御部１８１及び通信制御部１８２として機能する。
【００５４】
記憶部１７０は、フラッシュメモリー、ＥＥＰＲＯＭ等の不揮発性のメモリーである。記憶部１７０は、プロジェクター１００の制御に使用される制御プログラムや、コンテンツデータ等を記憶する。
【００５５】
揮発性メモリー１７５は、例えば、ＤＲＡＭ（Dynamic Random Access Memory）やＳＲＡＭ（Static Random Access Memory）等の揮発性のメモリーである。揮発性メモリー１７５は、プロジェクター１００が電源オン状態又はスタンバイ状態である場合に、電源ビットの電源情報を記憶し、保持する。また、揮発性メモリー１７５は、プロジェクター１００が電源オフ状態となると、電源情報が消失する。揮発性メモリー１７５は、本発明の「第２メモリー」に相当する。
【００５６】
画像処理部１６３は、Ｉ／Ｆ部１６０又は無線通信部１４１が受信した画像データを、フレームメモリー１６５に展開して処理する。画像処理部１６３が行う処理には、例えば、解像度変換（スケーリング）処理又はリサイズ処理、歪み補正等の形状補正処理、デジタルズーム処理、色調補正処理、輝度補正処理等が含まれる。画像処理部１６３は、制御部１８０により指定された処理を実行し、必要に応じて、制御部１８０から入力されるパラメーターを使用して処理を行う。また、画像処理部１６３は、上記のうち複数の処理を組み合わせて実行することも勿論可能である。画像処理部１６３は、処理が終了した画像データをフレームメモリー１６５から読み出し、光変調装置駆動部１２２に出力する。
光変調装置駆動部１２２は、画像処理部１６３から入力した画像データに基づいて、光変調装置１１２を駆動する。これにより、光変調装置１１２の液晶パネル１１２Ａに画像が描画され、描画された画像が、投射光学系１１３を介してスクリーンＳＣに投射される。
【００５７】
次に、制御部１８０が備える機能ブロックについて説明する。
投射制御部１８１は、画像処理部１６３を制御して、フレームメモリー１６５に、画像データに基づく画像を描画させる。また、投射制御部１８１は、光変調装置駆動部１２２を制御して、フレームメモリー１６５に描画された画像を光変調装置１１２の液晶パネル１１２Ａに描画させる。光変調装置１１２の液晶パネル１１２Ａに描画された画像が、投射光学系１１３を介してスクリーンＳＣ上に投射画像として投射される。
【００５８】
また、投射制御部１８１は、プロジェクター１００の電源情報を揮発性メモリー１７５の電源ビットに書き込む。電源情報は、プロジェクター１００の電源状態を示す１ビットの情報である。投射制御部１８１が揮発性メモリー１７５に書き込む電源情報は、プロジェクター１００の電源状態が電源オン状態であることを示す「１」と、電源状態がスタンバイ状態又は電源オフ状態であることを示す「０」とが含まれる。
【００５９】
電源オフ状態において、プロジェクター１００の電源プラグが商用電源のコンセントに挿入され、操作パネル１５１の電源ボタン、又はリモコン７０の電源ボタンがオンされると、プロジェクター１００は、電源オン状態（通常動作状態）に移行する。投射制御部１８１は、プロジェクター１００が電源オン状態に切り替わると、揮発性メモリー１７５の電源ビットに値「１」を書き込む。
また、プロジェクター１００の電源プラグがコンセントに挿入されたが、操作パネル１５１の電源ボタン又はリモコン７０の電源ボタンがオンされていない場合、プロジェクター１００は、電源オフ状態からスタンバイ状態に移行する。また、電源オン状態において、操作パネル１５１の電源ボタン又はリモコン７０の電源ボタンがオフされた場合も、プロジェクター１００は、スタンバイ状態に移行する。プロジェクター１００がスタンバイ状態に移行すると、投射制御部１８１は、揮発性メモリー１７５の電源ビットの値を「０」に書き替える。スタンバイ状態では、揮発性メモリー１７５に電源部１４３から電源が供給され、揮発性メモリー１７５の電源ビットの値「０」は消失することなく維持される。
また、電源オン状態又はスタンバイ状態において、プロジェクター１００の電源プラグが商用電源のコンセントから取り外され、電源状態が電源オフ状態となると、揮発性メモリー１７５への電源の供給は停止する。この場合、揮発性メモリー１７５に書き込まれた電源ビットは消失する。
【００６０】
また、スタンバイ状態において、ＮＦＣタグ１３０がアンテナ１３１に生じた誘導起電力によって動作した場合、制御部１８０に割り込み信号が入力される。投射制御部１８１は、割り込み信号が入力されると、電源制御部１４５を制御して、プロジェクター１００の各部に電源を供給させ、プロジェクター１００をスタンバイ状態から通常動作状態に復帰させる。
【００６１】
通信制御部１８２は、無線通信部１４１を制御して端末装置１０と無線通信を行う。通信制御部１８２は、端末装置１０との間で無線通信を確立し、端末装置１０が送信する制御データや画像データを受信し、受信したデータを処理する。例えば、通信制御部１８２は、無線通信部１４１により画像データを受信した場合、この画像データを制御部１８０のＲＡＭや記憶部１７０に一時的に記憶させる。制御部１８０のＲＡＭや記憶部１７０に一時的に記憶された画像データは、投射制御部１８１の制御によりスクリーンＳＣに投射される。
【００６２】
図４は、プロジェクター１００の動作を示すフローチャートである。
図４の動作の開始時点において、プロジェクター１００はスタンバイ状態である。スタンバイ状態において、プロジェクター１００は、割り込み信号の入力を待機し、割り込み信号が入力されるまで各部への電源供給を停止してスタンバイ状態を維持する。
操作パネル１５１又はリモコン７０に設けられた電源ボタンがオンされた場合、又は端末装置１０をマーカー１５９に近づけた場合、制御部１８０に割り込み信号が入力される（ステップＳ１）。制御部１８０は、割り込み信号が入力されると、電源制御部１４５を制御してプロジェクター１００の各部に電源を供給させる。これにより、プロジェクター１００が通常動作状態に復帰し（ステップＳ２）、光源部１１１の光源が点灯し、無線通信部１４１が起動する。
【００６３】
通常動作状態に復帰した制御部１８０は、揮発性メモリー１７５の電源ビットの値を「１」に書き替える（ステップＳ３）。次に、制御部１８０は、無線通信設定情報に基づく接続要求を受信したか否かを判定する（ステップＳ４）。接続要求を受信していない場合（ステップＳ４／ＮＯ）、制御部１８０は、接続要求を受信するまで待機する。また、接続要求を受信した場合（ステップＳ４／ＹＥＳ）、制御部１８０は、接続要求を受信した端末装置１０との間で無線通信を確立する（ステップＳ５）。
【００６４】
次に、制御部１８０は、無線通信を確立した端末装置１０からデータを受信したか否かを判定する（ステップＳ６）。端末装置１０は、アプリケーションプログラム３１の機能により、操作画面を表示パネル５２に表示し、操作を待機する。操作画面は、操作用のスイッチを模したアイコン等が配置される画面であり、これらのアイコン等がタッチ操作されると、端末装置１０が、当該操作をタッチスクリーン５３で検出する。ここで、検出した操作がコンテンツデータの表示要求である場合、端末装置１０は、記憶部３０からコンテンツデータを読み出して再生し、再生したコンテンツデータ３３に含まれる画像データをプロジェクター１００に送信する。また、検出した操作が、プロジェクター１００の操作の終了を指示する操作である場合、端末装置１０は、操作の終了を指示する制御データを生成し、プロジェクター１００に送信する。
【００６５】
制御部１８０は、端末装置１０からデータを受信するまで待機する（ステップＳ６／ＮＯ）。制御部１８０は、端末装置１０からデータを受信し（ステップＳ６／ＹＥＳ）、受信したデータが画像データである場合（ステップＳ７／ＹＥＳ）、受信した画像データに基づいてフレームメモリー１６５に画像を描画させる。制御部１８０は、フレームメモリー１６５に描画された画像を光変調装置１１２の液晶パネル１１２Ａに描画させる。光変調装置１１２の液晶パネル１１２Ａに描画された画像が、投射光学系１１３を介してスクリーンＳＣ上に投射画像として投射される（ステップＳ８）。
【００６６】
また、制御部１８０は、受信したデータが端末装置１０によるプロジェクター１００の操作の終了を指示する制御データである場合（ステップＳ７／ＮＯ、かつＳ９／ＹＥＳ）、揮発性メモリー１７５の電源ビットの値を「０」を書き替える（ステップＳ１１）。制御部１８０は、電源ビットの値を「０」に書き替えると、スタンバイ状態に移行し（ステップＳ１２）、本処理を終了する。また、受信したデータが操作の終了を指示する制御データではない場合（ステップＳ９／ＮＯ）、制御部１８０は、受信したデータに対応した処理を実行し（ステップＳ１０）、ステップＳ６に戻り、端末装置１０からデータを受信するまで待機する。
【００６７】
また、プロジェクター１００の電源プラグが商用電源のコンセントから取り外された場合、制御部１８０は、揮発性メモリー１７５の電源ビットの値を書き替えることなく、処理を終了させる。プロジェクター１００が電源オフ状態となると、揮発性メモリー１７５に電源が供給されないため、揮発性メモリー１７５に記憶させた情報が消失する。
【００６８】
図５は、ＮＦＣタグ１３０の動作を示すフローチャートである。
図５に示すフローは、ＮＦＣタグ１３０の動作を示すフローであって、ＮＦＣ制御部１３２を構成するプロセッサーコアが実行するプラグラムがこのフローチャートの通りに構成されるものに限定されない。
端末装置１０のユーザーが、端末装置１０をマーカー１５９に近づけると、ＮＦＣタグ１３０と端末装置１０との間でＮＦＣ通信が確立する（ステップＳ２１）。
ＮＦＣ制御部１３２は、端末装置１０との無線通信によって生じる誘導起電力によって動作し、制御部１８０に割り込み信号を出力する（ステップＳ２２）。ＮＦＣ制御部１３２は、割り込み信号を出力すると、不揮発性メモリー１３３からのデータの読み出しを開始する（ステップＳ２３）。ＮＦＣ制御部１３２は、まず、データを読み出す不揮発性メモリー１３３のアドレスが、設定されたアドレスであるか否かを判定する（ステップＳ２４）。設定されたアドレスではない場合（ステップＳ２４／ＮＯ）、ＮＦＣ制御部１３２は、不揮発性メモリー１３３からデータを読み出す。また、ＮＦＣ制御部１３２は、設定されたアドレスである場合（ステップＳ２４／ＹＥＳ）、設定されたアドレスに対応付けられた揮発性メモリー１７５の電源ビットから電源情報の読み出しが可能であるか否かを判定する（ステップＳ２５）。プロジェクター１００が電源オフ状態である場合、ＮＦＣ制御部１３２は、揮発性メモリー１７５にアクセスすることができず、揮発性メモリー１７５の電源ビットから電源情報を読み出すことができない。読み出し可能ではない場合（ステップＳ２５／ＮＯ）、ＮＦＣ制御部１３２は、不揮発性メモリー１３３の予め設定されたアドレスから電源情報を読み出す（ステップＳ２６）。不揮発性メモリー１３３の予め設定されたアドレスには、揮発性メモリー１７５の電源ビットが「０」であることを示す情報が記憶されている。また、読み出し可能である場合（ステップＳ２５／ＹＥＳ）、ＮＦＣ制御部１３２は、揮発性メモリー１７５の電源ビットから電源情報を読み出す（ステップＳ２７）。
ＮＦＣ制御部１３２は、不揮発性メモリー１３３から電源ビットが「０」であることを示す電源情報を読み出した場合、この読み出した情報に、プロジェクター１００の電源状態が電源オフ状態であることを示す情報を付加してもよい。これは、揮発性メモリー１７５の電源ビットから電源情報として「０」を読み出した場合と、不揮発性メモリー１３３から電源情報を読み出した場合とを区別するためである。すなわち、ＮＦＣ制御部１３２は、端末装置１０に、プロジェクター１００の電源状態が電源オフ状態である場合と、スタンバイ状態である場合とを区別するための情報を電源情報として付加する。
【００６９】
次に、ＮＦＣ制御部１３２は、データの読み出しが完了したか否かを判定する（ステップＳ２８）。読み出しが完了していない場合（ステップＳ２８／ＮＯ）、ＮＦＣ制御部１３２は、ステップＳ２４の判定に戻って、データの読み出しを行う。また、読み出しが完了した場合（ステップＳ２８／ＹＥＳ）、ＮＦＣ制御部１３２は、読み出したデータを端末装置１０に送信する（ステップＳ２９）。
【００７０】
ステップＳ２５及びＳ２６で、揮発性メモリー１７５の電源ビットを読み出す動作を、ハードウェア的に実行する構成であってもよい。すなわち、アクセスされた不揮発性メモリー１３３のアドレスが揮発性メモリー１７５の電源ビットに該当する場合に、アクセス先を揮発性メモリー１７５の電源ビットに切り替える処理をハードウェア的に実行してもよい。
【００７１】
図６は、端末装置１０の動作を示すフローチャートである。
ユーザーが端末装置１０を手に持ち、手に持った端末装置１０をプロジェクター本体１０１のマーカー１５９に近づけると、端末装置１０と、ＮＦＣタグ１３０との間でＮＦＣ通信が確立される（ステップＳ３１）。ＮＦＣ通信が確立されると、端末装置１０は、ＮＦＣタグ通信部６１によりＮＦＣタグ１３０の情報を取得する（ステップＳ３２）。ステップＳ３２で取得する情報には、無線通信設定情報や電源情報等が含まれる。
【００７２】
端末装置１０は、ＮＦＣタグ１３０の情報を取得すると、アプリケーションプログラム３１を起動し実行する（ステップＳ３３）。端末装置１０は、アプリケーションプログラム３１を実行し、ＮＦＣタグ１３０から取得した電源情報により、プロジェクター１００が電源オフ状態であるか否かを判定する（ステップＳ３４）。電源オフ状態である場合（ステップＳ３４／ＹＥＳ）、端末装置１０は、アプリケーションプログラム３１の制御により表示パネル５２に予め設定されたメッセージを表示させる（ステップＳ３５）。このメッセージは、例えば、「プロジェクター１００に電源が入っていません。電源プラグをコンセントに接続して下さい。」といった内容のメッセージである。
【００７３】
また、端末装置１０は、電源オフ状態ではない場合（ステップＳ３４／ＮＯ）、プロジェクター１００がスタンバイ状態であるか否かを判定する（ステップＳ３６）。スタンバイ状態である場合（ステップＳ３６／ＹＥＳ）、端末装置１０は、アプリケーションプログラム３１の制御により表示パネル５２に予め設定されたメッセージを表示させる（ステップＳ３７）。このメッセージは、例えば、「プロジェクター１００との接続に数分かかる場合があります。」といった内容のメッセージである。
【００７４】
端末装置１０は、ステップＳ３６の判定が否定判定の場合（ステップＳ３６／ＮＯ）、取得した無線通信設定情報に基づき、プロジェクター１００との間で無線通信を確立する（ステップＳ３８）。また、ステップＳ３５又はステップＳ３７においてメッセージを表示させた場合（ステップＳ３５又はＳ３７）、端末装置１０は、プロジェクター１００が起動するまで待機する。プロジェクター１００が起動すると、取得した無線通信設定情報に基づき、プロジェクター１００との間で無線通信を確立させる（ステップＳ３８）。
【００７５】
次に、端末装置１０は、アプリケーションプログラム３１の機能により操作画面を表示して、操作を待機する（ステップＳ３９）。この操作画面には、例えば、記憶部３０に記憶させたコンテンツデータ３３の一覧等が表示される。ユーザーは、表示されたコンテンツデータ３３の一覧の中からプロジェクター１００により投射させたいコンテンツデータ３３をタッチ操作で選択することができる。また、操作画面には、操作用のスイッチを模したアイコン等が表示される。ユーザーは、このアイコンを操作することで、端末装置１０によるプロジェクター１００の操作の終了を指示することができる。
【００７６】
端末装置１０は、操作画面に対するタッチ操作をタッチスクリーン５３で検出する。端末装置１０は、タッチ操作が検出されない場合（ステップＳ３９／ＮＯ）、タッチ操作が検出されるまで待機する。また、端末装置１０は、タッチ操作が検出された場合（ステップＳ３９／ＹＥＳ）、検出したタッチ操作がプロジェクター１００の操作の終了を指示する操作であるか否かを判定する（ステップＳ４０）。操作の終了を指示する操作である場合（ステップＳ４０／ＹＥＳ）、端末装置１０は、アプリケーションプログラム３１を終了させ、プロジェクター１００との無線通信を切断する（ステップＳ４１）。また、検出したタッチ操作がプロジェクター１００の操作の終了を指示する操作ではない場合（ステップＳ４０／ＮＯ）、端末装置１０は、検出したタッチ操作に応じた処理を実行し（ステップＳ４２）、ステップＳ３９の判定に戻る。
【００７７】
以上説明したように本実施形態に係るプロジェクター１００は、不揮発性メモリー１３３を備え、端末装置１０と無線通信するＮＦＣタグ１３０と、揮発性メモリー１７５と、プロジェクター１００の電源状態を示す情報を揮発性メモリー１７５に書き込む制御部１８０とを備える。
ＮＦＣタグ１３０は、端末装置１０による不揮発性メモリー１３３へのアクセスに応じて揮発性メモリー１７５に書き込まれたプロジェクター１００の電源状態を示す情報を送信する。また、ＮＦＣタグ１３０は、揮発性メモリー１７５に書き込まれたプロジェクター１００の電源状態を示す情報が所定の状態である場合は、不揮発性メモリー１３３に書き込まれた情報を端末装置１０に送信する。
従って、揮発性メモリー１７５に書き込まれた情報の状態によらず、プロジェクター１００の電源状態を端末装置１０に通知することができる。
【００７８】
また、プロジェクター１００の電源状態は、少なくともオン状態及びオフ状態を含む。制御部１８０は、プロジェクター１００の電源状態がオフ状態からオン状態に切り替わった場合に、プロジェクター１００の電源状態がオン状態であることを示す情報を揮発性メモリー１７５に書き込む。
従って、プロジェクター１００の電源状態がオン状態に切り替わった状態で、端末装置１０からのアクセスがあると、揮発性メモリー１７５の情報を読み出し、端末装置１０に送信することで、プロジェクター１００の電源状態を示す情報を送信することができる。
【００７９】
また、ＮＦＣタグ１３０は、揮発性メモリー１７５に、プロジェクター１００の電源状態を示す情報が書き込まれていない場合、不揮発性メモリー１３３に書き込まれたプロジェクター１００の電源状態がオフ状態であることを示す情報を端末装置１０に送信する。
従って、プロジェクター１００の電源状態を示す情報を端末装置１０に送信することができる。
【００８０】
また、揮発性メモリー１７５は、プロジェクター１００の電源状態がオフ状態である場合には、書き込まれた情報が消失する。この場合に、不揮発性メモリー１３３に予め書き込まれたプロジェクター１００の電源状態がオフ状態であることを示す情報を端末装置１０に送信することで、プロジェクター１００の電源状態を示す情報を端末装置１０に送信することができる。
【００８１】
また、ＮＦＣタグ１３０は、アンテナ１３１と、アンテナ１３１に生じた誘導起電力によって動作するＮＦＣ制御部１３２と、不揮発性メモリー１３３とを備える。ＮＦＣ制御部１３２は、端末装置１０との無線通信によってアンテナ１３１に誘導起電力が生じた場合、揮発性メモリー１７５に書き込まれたプロジェクター１００の電源状態を示す情報又は不揮発性メモリー１３３に書き込まれた情報を端末装置１０に送信する。
従って、プロジェクター１００の電源がオフ状態であっても、ＮＦＣタグ１３０が、プロジェクター１００の電源状態を示す情報を端末装置１０に送信することができる。
【００８２】
また、プロジェクター１００の電源状態は、オン状態、オフ状態、及び、制御部１８０の動作によりオン状態に移行可能なスタンバイ状態を含む。制御部１８０は、スタンバイ状態においてＮＦＣ制御部１３２がアンテナ１３１に生じた誘導起電力によって動作した場合に、プロジェクター１００の電源状態をオン状態に移行させる。
従って、ＮＦＣ制御部１３２がアンテナ１３１に生じた誘導起電力によって動作した場合に、プロジェクター１００の電源状態をオン状態に移行させることができる。
【００８３】
また、プロジェクター１００に、ＮＦＣタグ１３０を搭載したことで、プロジェクター１００の電源状態を端末装置１０に送信することができる。
【００８４】
上述した実施形態は、本発明の好適な実施形態の一例を示すものであり、本発明の実施態様はこれに限定されるものではなく、本発明の要旨を逸脱しない範囲内において種々の変形実施が可能である。
例えば、上述した実施形態では、プロジェクター１００が備える揮発性メモリー１７５の所定のアドレスの記憶素子を、プロジェクター１００の電源情報を書き込む電源ビットとして用いる場合を説明した。これ以外の構成として、ＮＦＣタグ１３０が備えるメモリーの一部を、揮発性メモリーとして構成してもよい。すなわち、ＮＦＣタグ１３０は、メモリーとして、不揮発性メモリー１３３と揮発性メモリー１７５とを備える。プロジェクター１００の制御部１８０は、ＮＦＣタグ１３０の揮発性メモリー１７５に電源情報を記憶させる。
【００８５】
また、上述した実施形態では、電子機器がプロジェクター１００である場合を示したが、電子機器はプロジェクター１００でなくてもよい。例えば、電子機器は、プリンターであってもよいし、ＴＶ受像機であってもよいし、ハードディスクレコーダー等であってもよい。
【００８６】
例えば、１つの端末装置１０が１つのプロジェクター１００と無線通信を行って操作を行う構成を示したが、複数の端末装置１０が１又は複数のプロジェクター１００を制御してもよい。また、１つの端末装置１０により複数のプロジェクター１００を制御してもよい。さらに、プロジェクター１００において端末装置１０を識別することが可能な構成としてもよい。
【００８７】
また、例えば、上記実施形態では、スクリーンＳＣの前方から投射するフロントプロジェクション型のプロジェクター１００を表示装置の一例として示したが、本発明はこれに限定されない。例えば、スクリーンＳＣの背面側から投射するリアプロジェクション（背面投射）型のプロジェクターを表示装置として採用できる。また、液晶表示パネルに画像を表示する液晶モニター又は液晶テレビを表示装置として採用してもよい。ＰＤＰ（プラズマディスプレイパネル）、ＣＲＴ（陰極線管）ディスプレイ、ＳＥＤ（Surface-conduction Electron-emitter Display）等を表示装置として用いてもよい。また、ＯＬＥＤ（Organic light-emitting diode）、ＯＥＬ（Organic Electro Luminescence）ディスプレイ等と呼ばれる有機ＥＬ表示パネルに画像を表示するモニター装置又はテレビ受像機等の自発光型の表示装置を採用してもよい。これらの表示装置を備える構成において本発明を適用した場合も、上記実施形態と同様に、有用な効果が得られる。
【００８８】
また、上記実施形態では、端末装置として、平板状の端末装置本体１１を有し、ユーザーが手に持って操作する携帯型の端末装置１０を例に挙げて説明したが、本発明はこれに限定されない。例えば携帯型ゲーム機、音楽や映像を再生する携帯型再生装置等を、端末装置１０として用いることができる。さらに、端末装置１０は、表示パネル５２以外のハードウェアキーボード等を有する構成であってもよい。
【００８９】
また、ＮＦＣタグ１３０は、プロジェクター本体１０１に設置されるとして説明してきたが、プロジェクター本体１０１とは別筐体に設置されていてもかまわない。この場合、別筐体とプロジェクター本体１０１とはケーブルで接続される。このことにより、ＮＦＣタグ１３０をプロジェクター本体とは離れた位置に配置でき、より使い勝手がよい。
【００９０】
また、図２及び図３に示した各機能部は機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現される機能の一部をハードウェアで実現してもよく、あるいは、ハードウェアで実現される機能の一部をソフトウェアで実現してもよい。その他、通信システム１の他の各部の具体的な細部構成についても、本発明の趣旨を逸脱しない範囲で任意に変更可能である。
【符号の説明】
【００９１】
１…通信システム、１０…端末装置（外部の装置）、１１…端末装置本体、２０…制御部、２２…通信制御部、２３…アプリケーション実行部、３０…記憶部、３１…アプリケーションプログラム、３３…コンテンツデータ、４０…無線通信部、５３…タッチスクリーン、５４…スイッチ部、５５…操作検出部、６１…ＮＦＣタグ通信部（第２通信部）、７０…リモコン、１００…プロジェクター（電子機器、表示装置）、１０１…プロジェクター本体、１１０…投射部、１１１…光源部、１１２…光変調装置、１１２Ａ…液晶パネル、１１３…投射光学系、１１４…投射開口部、１２１…光源駆動部、１２２…光変調装置駆動部、１２３…投射光学系駆動部、１２６…フレームメモリー、１３０…ＮＦＣタグ（通信部、第１通信部）、１３１…アンテナ、１３２…ＮＦＣ制御部（通信制御部）、１３３…不揮発性メモリー（第１メモリー）、１４１…無線通信部、１４３…電源部、１４５…電源制御部、１５１…操作パネル、１５３…入力処理部、１５５…リモコン受光部、１５９…マーカー、１６０…Ｉ／Ｆ部、１６３…画像処理部、１６５…フレームメモリー、１７０…記憶部、１７５…揮発性メモリー（第２メモリー）、１８０…制御部、１８１…投射制御部、１８２…通信制御部、１９０…バス、ＳＣ…スクリーン。
【図１】
2018055409.tif 000003
【図２】
2018055409.tif 000004
【図３】
2018055409.tif 000005
【図４】
2018055409.tif 000006
【図５】
2018055409.tif 000007
【図６】
2018055409.tif 000008